(57)【要約】      （修正有）【課題】強度不足により持ち手が切れてしまい、中に入れた物ごと袋を落下させてしまうことや、水濡れに極端に弱く、汗をかいたまま手に持ったり、雨天時に雨がかかったりすると袋の内容物の重さで切れることがあった。【解決手段】心材１の周囲に、四辺形の新聞紙等２の頂点から少し内側に入った位置を始点とし、対向する２つの頂点を結ぶ線に平行に、密に巻きつけ、巻き終わりの位置で接着剤を塗布して巻き付けた後、心材１の中間点を中心に緩やかなＵ字状に湾曲させ、心材１の両端部を所定長さにわたりＶ字状に折り返して袋との吊止部を形成し、心材１の先端部を覆う筒状の保護部材を装着する。【選択図】図１
2012183286.tif 000002
【特許請求の範囲】
【請求項１】
可撓性の心材の周囲に、等辺四辺形の新聞紙もしくは包装紙もしくは古布の１つの頂点近傍位置を始点として接着剤で固定し、対向する２つの頂点を結ぶ線に平行に、密に巻きつけ、始点に対向する頂点の巻き終わりの位置で内側に接着剤を塗布して巻き付け、心材の中間点を中心に緩やかなＵ字状に湾曲させ、心材の両端部近傍を所定長さにわたりＶ字状に折り返して袋との吊止部を形成し、心材の先端部を覆う筒状の保護部材を装着して成る簡易バッグ用持ち手。
【請求項２】
可撓性の心材は金属線または合成樹脂または天然樹脂またはこれらの複合材である請求項１に記載の簡易バッグ用持ち手。
【発明の詳細な説明】
【技術分野】
【０００１】    本発明は、布、紙、合成繊維、合成樹脂等で製作された簡易バッグの持ち手に係り、特に、布や紙を使用した所謂エコバックと称される手作りバッグの持ち手に関する。
【背景技術】
【０００２】    古来、廃品を使って日用品を製作して利用することが行われてきている。古くは、和服を子供用に仕立て直して再利用するといった古き良き風習が伝承されている。近年は再利用により環境負荷を軽減しようと様々な取り組みが行われていて、使い捨てによる大量生産大量消費から、再使用、再利用、再生による環境配慮型消費へと移行してきている。そんな活動の中で、古紙を利用した手提げ袋が趣味と実益を兼ねて製作されている。中でも新聞紙をたくみに折り合わせて作る手提げ袋が、素材の入手のしやすさと手軽に取り組める題材であること、製作後に実用として利用できるなどが相俟って各地で取り組みが行われている。
【先行技術文献】
【特許文献】
【０００３】
【特許文献１】特許第２９３１９２６号
【特許文献２】特開２０００−０１４４３４
【特許文献３】実開平６−４５５１９
【発明の概要】
【発明が解決しようとする課題】
【０００４】  古新聞や包装紙等の古紙を利用した手提げ袋は、一般的に持ち手も同一の素材である古新聞や包装紙を使用している場合が多く、強度の面で問題がある。すなわち、強度不足により持ち手が切れてしまい、中に入れた物ごと袋を落下させてしまうことがあった。また、水濡れに極端に弱く、汗をかいたまま手に持ったり、雨天時に雨がかかったりすると袋の内容物の重さで切れることがあった。また、一般的に紙製や布製の手提げ袋は、持ち手が袋固有のものであり、コスト重視でファッション性や見栄えは犠牲にされているのが現状である。
【課題を解決するための手段】
【０００５】  そこで、本発明では、強度的にも優れ、色や模様を自由に工夫でき、袋と持ち手を着脱可能にすることによって、お気に入りの持ち手を袋ごとに取り替えて使用することができるようにしたものである。【０００６】  このような機能を実現するために、可撓性の心材の周囲に、等辺四辺形の新聞紙もしくは包装紙もしくは古布の１つの頂点から少し内側に入った位置を始点とし、対向する２つの頂点を結ぶ線に平行に、密に巻きつけ、始点に対向する頂点の巻き終わりの位置で内側に接着剤を塗布して巻き付け、心材の中間点を中心に緩やかなＵ字状に湾曲させて持ち手を形成し、心材の両端部近傍を所定長さでＶ字状に折り返して袋との吊止部を形成し、心材の先端部を覆う筒状の保護部材を装着して成るものである。
【発明の効果】
【０００７】  本発明により、強度的にも優れ、色や模様を自由に工夫でき、袋と持ち手を着脱可能にすることによって、お気に入りの持ち手を袋ごとに取り替えて使用することができるもので、古紙を再利用した手提げ袋の実用性を向上し、利用を拡大できる。また、持ち手を他の袋に取り替えて装着することで、古紙の再利用のみならず幅広く利用できるものである。
【図面の簡単な説明】
【０００８】
【図１】持ち手の製作過程を示す図
【図２】持ち手の別の製作過程を示す図
【図３】持ち手本体の巻き終わりの図
【図４】心材の両端部の保護状態を示す断面図
【図５】持ち手の形状に形成した図
【図６】保護部材をあらわす図
【発明を実施するための形態】
【０００９】  心材としては、金属線が有効である。容易に屈曲できる上、湾曲度合いも適宜に調節可能であるので好適である。周囲に巻きつける紙は、安価で入手のしやすいことや加工性などから、古新聞が有効である。古新聞以外では、商品の包装に利用される包装紙が効果的である。包装紙は新聞紙に比べて強度や彩色や紙質の種類の多さなどの点で新聞紙には無い優位性がある。
【実施例】
【００１０】  図に基づいて好適な実施例を説明する。１は心材で洗濯用のワイヤーハンガーを所望の長さに切断したものである。心材１は金属線以外で、例えば合成樹脂や天然樹脂またはこれらの複合材が使用可能である。２は古新聞であらかじめ正方形に切断してある。古新聞以外にも包装紙や端切れ布など、再利用可能な範囲で使用可能である。古新聞２の大きさは、正方形の対向する頂点の長さが心材１の長さとほぼ同一かやや長くなるように裁断される。３は別の新聞紙で、短尺の筒４形成するための素材である。ほかに、テープ状の新聞紙５を用意する。【００１１】  心材１を所望の長さで、約５０ｃｍ程度に切断して用意する。洗濯用のワイヤーハンガーの合成樹脂で被覆されたもので、太さが３ｍｍ乃至５ｍｍ程度のものが有効に利用可能である。心材１の両端部は危険防止のためにあらかじめテープ状部材５で保護することが望ましい。テープ状部材５を２０乃至３０ｍｍの長さに切断して用意し、片面に接着剤を塗布し、中心部近傍を心材１に係合して両側を心材１に沿って折り曲げて心材１に巻きつけて貼り付ける。同様に４乃至５回繰り返す。これを心材１の両端に対して行う。次いで、正方形に切断した古新聞２の一端近傍から２０ｍｍ程度内側で他の対向する短部を結ぶ線に平行に折り返し、該折り返し線上に心材１の中心を置いて折り返した古新聞２の内側に接着剤を塗布して心材１に巻き付ける。古新聞２を心材１に順次巻き始めの端部に対向する短部まで巻き付け、巻き終わりの端部には内側に接着剤を塗布して巻き付ける。【００１２】  巻き終わった心材１は中央部から左右均等に緩やかなＵ字状に湾曲させて両端の開きが１２乃至１５ｃｍになるように調節する。次に、心材１の両端部５乃至１０ｃｍをＶ字状に折り返して吊止部６を形成する。折り返す方向は、Ｕ字状に形成した心材１を平坦面に置いたときにＶ字の折り返しが平坦面から離れる方向に折り返す。【００１３】  次に、保護部材４となる保護用の筒を新聞紙３を折り返して強化し、丸めて筒状に形成して接着剤で止める。保護部材４の大きさは、心材１と吊止部６を同時に挿入可能な内径に形成する。新聞紙３は、アクセントとして着色してある包装紙などを有効に利用して見栄えをよくする工夫が可能である。【００１４】  以上のように作成した持ち手は、紙製や布製の手提げ袋にあらかじめ形成された持ち手用の孔にＶ字状の吊止部６を通し、保護部材４を、吊止部６を心材１側に引き寄せて心材１と吊止部６とをつなぐように調整して位置決めする。
【産業上の利用可能性】
【００１５】  本発明は、古新聞を再利用して製作される所謂エコバッグの製作過程でなされたものであるが、該エコバッグのみならず、あらゆる手提げ袋に装着可能である。新聞紙を華やかな包装紙や端切れ布に替えることによって色合いや触感の異なる持ち手を製作でき、利用分野も広がる。また、巻き終わった心材や保護用の筒に色々な装飾を貼り付けて楽しむことができ、手提げ袋を華やかに演出可能である。
【符号の説明】
【００１６】１    心材
２    古新聞
３    新聞紙
４    保護部材
５    テープ状の新聞紙
６    吊止部
【図１】
2012183286.tif 000003
【図２】
2012183286.tif 000004
【図３】
2012183286.tif 000005
【図４】
2012183286.tif 000006
【図５】
2012183286.tif 000007
【図６】
2012183286.tif 000008